(57)【特許請求の範囲】
【請求項１】
容器の口部にねじ止め固定され、容器内部に連通する開口を区画するキャップと、前記開口を通じて前記容器内部の内容物を汲み上げるポンプと、押し込み及び復元の繰り返しにより前記ポンプを駆動させ、汲み上げた内容物を外界へ向け吐出する吐出ヘッドと、を備えるポンプ式注出器であって、
前記キャップに対して装着され、前記吐出ヘッドの押し込み動作を規制可能なストッパー部材を備え、
前記ストッパー部材は、前記キャップに装着されている状態で、それぞれ周方向両端に位置する連結部の間を中心軸線として、上端を含む上端部及び下端を含む下端部が径方向へ移動するように揺動可能な揺動部を備え、前記揺動部は、前記吐出ヘッドと係合して前記吐出ヘッドの押し込み動作を規制する第１の姿勢と、前記吐出ヘッドの押し込み及び復元動作を規制しない第２の姿勢との間で揺動可能であることを特徴とするポンプ式注出器。
【請求項２】
前記キャップは、前記開口を区画すると共に前記吐出ヘッドの押し込み及び復元をガイドするガイド筒部を備え、
前記吐出ヘッドは、押し込み及び復元の際に、前記ガイド筒部の内側の前記開口内を移動する内筒部、及び前記ガイド筒部の外側を移動する外筒部を備え、
前記ストッパー部材は、前記ガイド筒部の外壁上に装着されており、前記第１の姿勢は、前記揺動部と、前記吐出ヘッドの外筒部とが係合し、前記吐出ヘッドの押し込み動作を規制することを特徴とする、請求項１に記載のポンプ式注出器。
【請求項３】
前記ストッパー部材は、前記ガイド筒部の周囲を取り囲んで配置された筒部材であり、
前記揺動部は、前記筒部材の一部に形成されていることを特徴とする、請求項２に記載のポンプ式注出器。
【請求項４】
前記揺動部は、上端及び下端が前記筒部材の径方向に揺動するように形成されており、
前記第１の姿勢において、前記揺動部の前記上端は、前記吐出ヘッドの前記外筒部の下端部に形成された第１受け部と係合し、前記揺動部の前記下端は、前記キャップの前記ガイド筒部の外壁に形成された第２受け部と係合することを特徴とする、請求項３に記載のポンプ式注出器。
【請求項５】
前記筒部材と前記ガイド筒部との間には、前記筒部材が前記ガイド筒部の周方向に移動しないように嵌合する凹凸部が設けられていることを特徴とする、請求項３又は４に記載のポンプ式注出器。
【請求項６】
前記筒部材は、前記ガイド筒部の周方向に移動可能に装着されており、
前記ガイド筒部の外壁には、前記筒部材が前記第１の姿勢で前記揺動部の姿勢を保持する第１保持部と、前記周方向において前記第１保持部とは異なる位置に形成され、前記筒部材が前記第２の姿勢で前記揺動部の姿勢を保持する第２保持部と、を備え、
前記筒部材を前記ガイド筒部に対して前記周方向に移動し、前記揺動部に対する前記第１保持部及び前記第２保持部の位置を変動させることにより、前記筒部材を前記第１の姿勢と前記第２の姿勢との間で変形可能であることを特徴とする、請求項３又は４に記載のポンプ式注出器。
【発明の詳細な説明】
【技術分野】
【０００１】
本発明は、ポンプ式注出器に関し、特に、吐出ヘッドの押し込み動作を規制可能なストッパー部材を備えるポンプ式注出器に関する。
【背景技術】
【０００２】
押し込み及び復元により、ポンプの駆動及び内容物の吐出を可能にする吐出ヘッドを備えるポンプ式注出器には、吐出ヘッドの不用意な押し込みを防止するため、吐出ヘッドとキャップとの間に吐出ヘッドの押し込みを規制するストッパー部材を着脱可能に設ける構成が知られている。この種のポンプ式注出器として、特許文献１には、吐出ヘッドとキャップとの間に、着脱可能なストッパー部材としてのスペーサーを設けたフォーマーポンプが開示されている。
【先行技術文献】
【特許文献】
【０００３】
【特許文献１】特開２０１４−１０８８０５号公報
【発明の概要】
【発明が解決しようとする課題】
【０００４】
しかしながら、特許文献１に開示されたストッパー部材は、吐出ヘッドの不用意な押し込みを防止したいときにだけ装着し、ポンプ式注出器を使用する場合にはストッパー部材を取り外す必要がある着脱タイプであり、ポンプ式注出器の使用後に再度セットする作業が必要なため、ユーザーにとって手間がかかるという問題がある。また、再度セットすることが面倒なユーザーはストッパー部材を取り外して処分又は紛失してしまうことがあり、諸事情により再ロックが必要になった場合であっても再ロックすることが不可能になってしまうという問題も生じ得る。
【０００５】
本発明の目的は、上記問題に鑑み、着脱することなく操作可能なストッパー部材を備えるポンプ式注出器を提供することである。
【課題を解決するための手段】
【０００６】
本発明の第１の態様としてのポンプ式注出器は、容器の口部にねじ止め固定され、容器内部に連通する開口を区画するキャップと、前記開口を通じて前記容器内部の内容物を汲み上げるポンプと、押し込み及び復元の繰り返しにより前記ポンプを駆動させ、汲み上げた内容物を外界へ向け吐出する吐出ヘッドと、を備えるポンプ式注出器であって、前記キャップに対して装着され、前記吐出ヘッドの押し込み動作を規制可能なストッパー部材を備え、前記ストッパー部材は、前記キャップに装着されている状態で、それぞれ周方向両端に位置する連結部の間を中心軸線として、上端を含む上端部及び下端を含む下端部が径方向へ移動するように揺動可能な揺動部を備え、前記揺動部は、前記吐出ヘッドと係合して前記吐出ヘッドの押し込み動作を規制する第１の姿勢と、前記吐出ヘッドの押し込み及び復元動作を規制しない第２の姿勢との間で揺動可能であることを特徴とするものである。
【０００８】
本発明の１つの実施形態として、前記キャップは、前記開口を区画すると共に前記吐出ヘッドの押し込み及び復元をガイドするガイド筒部を備え、前記吐出ヘッドは、押し込み及び復元の際に、前記ガイド筒部の内側の前記開口内を移動する内筒部、及び前記ガイド筒部の外側を移動する外筒部を備え、前記ストッパー部材は、前記ガイド筒部の外壁上に装着されており、前記第１の姿勢は、前記揺動部と、前記吐出ヘッドの外筒部とが係合し、前記吐出ヘッドの押し込み動作を規制することが好ましい。
【０００９】
本発明の１つの実施形態として、前記ストッパー部材は、前記ガイド筒部の周囲を取り囲んで配置された筒部材であり、前記揺動部は、前記筒部材の一部に形成されていることが好ましい。
【００１０】
本発明の１つの実施形態として、前記揺動部は、上端及び下端が前記筒部材の径方向に揺動するように形成されており、前記第１の姿勢において、前記揺動部の前記上端は、前記吐出ヘッドの前記外筒部の下端部に形成された第１受け部と係合し、前記揺動部の前記下端は、前記キャップの前記ガイド筒部の外壁に形成された第２受け部と係合することが好ましい。
【００１１】
本発明の１つの実施形態として、前記筒部材と前記ガイド筒部との間には、前記筒部材が前記ガイド筒部の周方向に移動しないように嵌合する凹凸部が設けられている構成とすることができる。
【００１２】
本発明の１つの実施形態として、前記筒部材は、前記ガイド筒部の周方向に移動可能に装着されており、前記ガイド筒部の外壁には、前記筒部材が前記第１の姿勢で前記揺動部の姿勢を保持する第１保持部と、前記周方向において前記第１保持部とは異なる位置に形成され、前記筒部材が前記第２の姿勢で前記揺動部の姿勢を保持する第２保持部と、を備え、前記筒部材を前記ガイド筒部に対して前記周方向に移動し、前記揺動部に対する前記第１保持部及び前記第２保持部の位置を変動させることにより、前記筒部材を前記第１の姿勢と前記第２の姿勢との間で変形可能である構成とすることができる。
【発明の効果】
【００１３】
本発明によれば、着脱することなく吐出ヘッドの押し込み動作を規制可能なストッパー部材を備えるポンプ式注出器を提供することができる。
【図面の簡単な説明】
【００１４】
【図１】本発明の一実施形態としてのフォーマーポンプについて、一部を断面で示した側面図である。
【図２】図２（ａ）は、図１において断面で示した部分を拡大した拡大図であり、図２（ｂ）は図２（ａ）のＩ−Ｉ断面図である。
【図３】本発明の別の実施形態としてのフォーマーポンプについて、第２の姿勢の状態であるストッパー部材の近傍のみを断面で示した側面図である。
【図４】図４（ａ）は、図３において断面で示した部分を拡大した拡大図であり、図４（ｂ）は図４（ａ）のＩＩ−ＩＩ断面図である。
【図５】図５（ａ）は、図４（ａ）において示した第２の姿勢の状態であるストッパー部材を第１の姿勢へと変形させた状態を示す図であり、図５（ｂ）は図５（ａ）のＩＩＩ−ＩＩＩ断面図である。
【発明を実施するための形態】
【００１５】
以下、本発明に係るポンプ式注出器の実施形態について、図１〜図５を参照して説明する。各図において共通の部材には、同一の符号を付している。
【００１６】
図１は、本発明に係るポンプ式注出器の１つの実施形態としてのフォーマーポンプ１について、一部を断面で示した側面図である。図２（ａ）は、図１において断面で示した部分を拡大した拡大図であり、図２（ｂ）は図２（ａ）のＩ−Ｉ断面図である。図１、図２に示すように、フォーマーポンプ１は、容器１００（図１の二点鎖線参照）の口部１０１にねじ止め固定されるキャップ１０と、容器内部の内容物を汲み上げるポンプ２０と、押し込み及び復元の繰り返しによりポンプ２０を駆動させ、汲み上げた内容物を外界へ向け吐出する吐出ヘッド３０と、キャップ１０に対して装着され、吐出ヘッド３０の押し込み動作を規制可能なストッパー部材としての筒部材４０と、を備える。なお、図１及び図２は、吐出ヘッド３０の押し込み動作がストッパー部材としての筒部材４０により規制されている状態（第１の姿勢）を示している。また、図１のフォーマーポンプ１の側面図の右側に、筒部材４０の揺動部４１の正面図を示している。
【００１７】
キャップ１０は、容器１００の口部１０１にねじ止め固定され、容器内部に連通する開口１１を区画している。具体的に、キャップ１０は、中空円盤状の天板部１２と、天板部１２の外周縁から垂下しており、内面に雌ねじ部を有し、口部１０１の外壁に形成された雄ねじ部と螺合することにより口部１０１にねじ止め固定される円筒状のキャップ本体１３と、天板部１２の内周縁から上方に立設され、後述する吐出ヘッド３０の押し込み及び復元をガイドする略円筒状のガイド筒部１４と、を備える。そして、上述のキャップ１０の開口１１は、天板部１２、キャップ本体１３及びガイド筒部１４により区画されている。
【００１８】
天板部１２の下面には係止筒１５が垂下しており、キャップ本体１３の上端部の内面と係止筒１５の外面との間で、ポンプ２０の後述する空気用シリンダ２４の上端に形成された外側係合筒２１ｃが挟持され、空気用シリンダ２４がキャップ１０に対して固定される。
【００１９】
図１、図２に示すように、ガイド筒部１４の外壁には、ガイド筒部１４の外壁上に装着される筒部材４０の後述する揺動部４１の揺動を可能にする凹部１６が形成されている。また、図２（ａ）に示すように、この凹部１６の上端は、ガイド筒部１４の外壁の上部に形成された上端面で終端し、凹部１６の下端は、ガイド筒部１４の外壁の下部に形成された下端面で終端している。この下端面には、揺動部４１が揺動した際に、揺動部４１の下端を受ける第２受け部１７が形成されている。具体的に、第２受け部１７は、揺動部４１の下端を構成する突起部と嵌合する窪み部で構成されている。また、図２（ｂ）に示すように、ガイド筒部１４の外壁には、ガイド筒部１４の周方向における凹部１６の位置と、筒部材４０の周方向における揺動部４１の位置とを合わせた状態で両者を位置決めすることができるように、筒部材４０の内壁に形成された縦リブ４３と嵌合する縦溝１８が形成されている。なお、本実施形態では、筒部材４０の内壁に縦リブ４３を形成し、ガイド筒部１４の外壁に縦溝１８を形成しているが、この構成に限られるものではなく、筒部材の内壁に縦溝を形成し、ガイド筒部の外壁に縦リブを形成する構成としてもよい。また、本実施形態の凹部１６は、揺動部の数及び周方向位置に合わせて、ガイド筒部１４の外壁のうち対向する２箇所に設けられているが、この数や周方向位置に限られるものではなく、揺動部の数や周方向位置に応じて適宜変更することが可能である。
【００２０】
図２（ｂ）に示すように、ガイド筒部１４の内壁には、吐出ヘッド３０の後述する内筒部３５がガイド筒部１４の内側の開口１１内を移動する際に、内筒部３５の外壁と当接してガイドする複数のガイドリブ１９が形成されている。
【００２１】
ポンプ２０は、開口１１を通じて容器１００内の内容物を汲み上げるものである。具体的に、ポンプ２０は、筒状の空気用シリンダ２１と、この空気用シリンダ２１の下部に同心円状に延設された、空気用シリンダ２１よりも小径の筒状の液用シリンダ２２と、吐出ヘッド３０の押し込み及び復元動作に伴って作動し、空気用シリンダ２１及び液用シリンダ２２内を移動するステム２３と、このステム２３の上部の外周面上に設けられ、吐出ヘッド３０及びステム２３の移動に伴って空気用シリンダ２１内を移動する空気用ピストン２４と、上端部がステム２３の下端部の内周面に嵌着され、吐出ヘッド３０及びステム２３の移動に伴って液用シリンダ２２内を移動する液用ピストン（不図示）と、液用シリンダ２２内で液用ピストンの下方に配置され、液用ピストンを介して吐出ヘッド３０に常時上方への付勢力を付与するコイルスプリング（不図示）と、液用シリンダ２２内からステム２３内に亘って延在するポペット弁体（不図示）と、液用シリンダ２２の下端部に嵌合され、容器１００内から内容物を吸い上げるパイプ２５と、吐出ヘッド３０の内筒部３５内のステム２３の上側に位置し、その内部に起泡部材２６が嵌め込まれている筒状部材２７と、この筒状部材２７とステム２３との間に形成された気液混合室Ｒと、を備えている。
【００２２】
空気用シリンダ２１は、周壁部２１ａの下端縁より内側上方に傾斜して延設された底板部（不図示）を有しており、液用シリンダ２２の上端縁が、底板部の内周縁に一体に連結されている。また、空気用シリンダ２１の周壁部２１ａの上端部には、径方向外側に延在するフランジ部２１ｂが形成されており、このフランジ部２１ｂの上面からは二重筒状の係合筒が立設されている。この二重筒状の係合筒のうち外側係合筒２１ｃが、上述したように、キャップ本体１３の上端部の内面と係止筒１５の外面との間で挟持されている。
【００２３】
液用シリンダ２２は、空気用シリンダ２１の底板部の内周縁から下方に垂下された円筒状の周壁部２２ａと、この周壁部２２ａの下端から延設された、下方に向かって外径が漸減するテーパー状の縮径部２２ｂと、この縮径部２２ｂの下端から更に延設された、周壁部２２ａよりも外径が小さい小径周壁部２２ｃと、を備えている。周壁部２２ａ内には、コイルスプリング及びポペット弁体が配置されており、テーパー状の縮径部２２ｂにより下方を支持されている。また、小径周壁部２２ｃ内には、パイプ２５の上端部が嵌め込まれており、パイプ２５の下端部は容器１００内に垂下されている。
【００２４】
ステム２３は、上下端を開口した筒状本体２３ａと、この筒状本体２３ａの内側上部に形成された液吐出弁用の弁座２３ｂと、この弁座２３ｂ上に位置する玉状弁体２３ｃと、筒状本体２３ａの外周面から径方向外側に突設された空気吐出弁用の弁座（不図示）と、を備えている。筒状本体２３ａの上端部は、吐出ヘッド３０の後述する内筒部３５の下端部内に嵌合されている。また、ステム２３の下端部には、液用シリンダ２２の周壁部２２ａの内面と液密に摺動する液用ピストンの摺動部（不図示）が下側外方に突出するように、液用ピストンの上端部が嵌め込まれているため、吐出ヘッド３０の押し込み及び復元動作に伴い、ステム２３と共に液用ピストンを、液用シリンダ２２内で下方及び上方に移動させることができる。
【００２５】
液吐出弁用の弁座２３ｂは、筒状本体２３ａの内壁から内方に突出するフランジ部２３０ｂと、このフランジ部２３０ｂの内周縁から上方に起立する筒部２３１ｂとで形成されており、この筒部２３１ｂの上面を、内側下方へ傾斜させて、玉状弁体２３ｃの弁座面としている。
【００２６】
空気用ピストン２４は、ステム２３の筒状本体２３ａの外周面上に配置され、上述した空気吐出弁用の弁座（不図示）に下端が支持される筒状弁部２４ａと、この筒状弁部２４ａの外周面より径方向外側に延設され、空気用シリンダ２１内への空気導入用の逆止弁（不図示）が形成された階段状の天板部２４ｂと、この天板部２４ｂの径方向外縁から延設され、空気用シリンダ２１の内周面と液密に摺動する摺動部２４ｃと、を備えている。
【００２７】
筒状弁部２４ａは、上下方向への小幅な移動が可能なように、吐出ヘッド３０の内筒部３５の下端部と、上述した空気吐出弁用の弁座とにより上下が挟まれている。そのため、吐出ヘッド３０の押し込み動作の際には、筒状弁部２４ａが弁座から離れて筒状本体２３ａに対して上方に移動し、空気吐出弁が開放状態となる。また、吐出ヘッド３０の押し込み動作の際には、空気吐出弁が開放状態になると共に、吐出ヘッド３０に押し込まれた空気用ピストン２４の下方への移動により、空気用シリンダ２１内の空気が圧縮されるため、この圧縮された空気を、筒状弁部２４ａの内面と筒状本体２３ａの外面との間から空気路Ｐを通じて気液混合室Ｒへと導入させることができる。
【００２８】
その一方で、吐出ヘッド３０の復元動作（コイルスプリングの付勢力により吐出ヘッドが上方に移動する動作）の際には、筒状弁部２４ａが弁座上に座し、空気路Ｐが閉塞された状態となるため、空気吐出弁は閉鎖状態となる。また、吐出ヘッド３０の復元動作の際には、空気吐出弁が閉鎖状態になると共に、天板部２４ｂに形成された逆止弁（不図示）が開放状態になるため、この逆止弁を通じて空気用シリンダ２１内に空気を流入させることができる。
【００２９】
また、吐出ヘッド３０の押し込み動作の際には、ステム２３の筒状本体２３ａに嵌合された液用ピストンがコイルスプリングの付勢力に抗して下方に移動すると共に、不図示のポペット弁体も下方に移動する。そしてポペット弁体の下端部が縮径部２２ｂの位置で液用シリンダ２２の内部を閉塞する（吸い込み弁を閉塞する）と共に、ポペット弁体がステム２３に対して相対的に上昇して、ポペット弁体と液用ピストンとで構成される逆止弁（不図示）が開放される。これにより、液用シリンダ２２内にある液体（容器１００内の内容物が吸い上げられたもの）が圧縮され、この圧縮された液体が、上述したステム２３の玉状弁体２３ｃを弁座２３ｂの弁座面から押し上げる（液吐出弁を開放状態とする）と共に、気液混合室Ｒ及び起泡部材２６を有する筒状部材２７を通じて発泡し、吐出ヘッド３０の後述する吐出口３６から吐出される。
【００３０】
その一方で、吐出ヘッド３０の復元動作の際には、ポペット弁体が上昇して吸い込み弁が開放状態になるため、一定量の内容物がパイプ２５を通じて液用シリンダ２２内に吸い上げられる。この際に弁座２３ｂの弁座面に玉状弁体２３ｃが当接し、液吐出弁は閉鎖状態となる。ポペット弁体は、その後、ポペット弁体と液用ピストンとで構成される逆止弁が閉鎖状態となるように、ステム２３に対して下降する。
【００３１】
なお、筒状部材２７内に嵌め込まれた起泡部材２６は、メッシュ２６ａと、このメッシュ２６ａを張設した筒状のメッシュ保持部材２６ｂとで構成されており、気液混合室Ｒにおいて混合された液体（容器１００の内容物）と空気とは、メッシュ２６ａを通じて吐出ヘッド３０へと汲み上げられることにより発泡する。
【００３２】
吐出ヘッド３０は、外方からの押圧力を直接付与する操作部３１と、この操作部３１と一体連結されたノズル３２とを備えている。操作部３１は、天板部３３と、この天板部３３の外縁より垂下し、吐出ヘッド３０の外周輪郭を形成する円筒状の外筒部３４と、この外筒部３４と同心配置であって、外筒部３４よりも内側で、天板部３３の下面から垂下する内筒部３５と、を備える。ノズル３２は、操作部３１の内筒部３５の中空部と連通し、容器１００内の内容物を外方に吐出する吐出口３６を備えている。
【００３３】
吐出ヘッド３０の押し込み及び復元の際に、内筒部３５は、キャップ１０のガイド筒部１４の内側の開口１１内を移動し、外筒部３４は、ガイド筒部１４の外側を移動する。外筒部３４の下端は、嵌着された防水リング３７により構成されており、防水リング３７の下端部には、後述するストッパー部材としての筒部材４０における揺動部４１が揺動した際に、揺動部４１の上端を受ける第１受け部３４ａが形成されている。この第１受け部３４ａには、揺動部４１の上端の径方向外側への移動を規制する段差部が形成されている。なお、本実施形態の外筒部３４の下端は、防水リング３７により構成されているが、これに限られるものではなく、防水リング３７を有さない外筒部としてもよく、防水リング３７を有さない外筒部の下端部に、揺動部４１の上端を受ける第１受け部を形成するようにしてもよい。
【００３４】
また、上述したように、内筒部３５の下端部にはステム２３の筒状本体２３ａが嵌合されており、筒状本体２３ａの外周壁のうちと、内筒部３５の内周壁との間には、上述した空気用ピストン２４の筒状弁部２４ａの上端部が介在するように配置されていると共に、空気路Ｐが形成されている。
【００３５】
ストッパー部材としての筒部材４０は、キャップ１０に装着されている状態で、吐出ヘッド３０と係合して吐出ヘッド３０の押し込み動作を規制する第１の姿勢と、吐出ヘッドの押し込み及び復元動作を規制しない第２の姿勢との間で変形可能である。そして本実施形態の筒部材４０は、キャップ１０のガイド筒部１４の周囲を取り囲んで配置されており、その一部に、キャップ１０に装着されている状態で揺動可能な揺動部４１が形成されている。揺動部４１は、筒部材４０の周壁の一部を構成すると共に、筒部材４０の周方向両端に設けられた連結部４２のみで周壁と連結されている。具体的に、揺動部４１は、筒部材４０の周方向に沿った円弧状の横断面を有する揺動片であり、その上下方向両端は筒部材４０とは連結されておらず、周方向両端の上下方向の略中央の位置でのみ、連結部４２を介して筒部材４０と連結されている。したがって、揺動部４１は、周方向両端それぞれに位置する連結部４２間を中心軸線として、上端を含む上端部及び下端を含む下端部が、径方向へ揺動することができる。
【００３６】
したがって、揺動部４１の下端部を径方向内側に押し、ガイド筒部１４の外壁に形成された凹部１６内に押し込むことにより（図２（ａ）の「ロック」と記載した白抜き矢印参照）、揺動部４１の上端部は径方向外側に移動する。つまり、ストッパー部材としての筒部材４０の第１の姿勢では、揺動部４１の上端と、吐出ヘッド３０の外筒部３４の下端を構成する防止リング３７の下端とが係合し、吐出ヘッド３０の下方への押し込み動作を規制する。なお、本実施形態の第２の姿勢とは、揺動部４１の上端部及び下端部が共に径方向において同位置にある状態、すなわち、上端部及び下端部がいずれも径方向内側や外側に突出していない状態をいう。第２の姿勢において、揺動部４１の上端は、外筒部３４の下端の下方に位置しないため、吐出ヘッド３０の押し込み動作は揺動部４１の上端により規制されることはない。上述した第１の姿勢から第２の姿勢へと変形させる際には、揺動部４１の上端部を径方向内側に押し込む（図２（ａ）の「オープン」と記載した上側の白抜き矢印参照）。
【００３７】
ストッパー部材をこのような構成とすることにより、ユーザーによりストッパー部材の処分や紛失を防ぐと共に、装着した状態のまま、押し込み動作を規制するロック状態（第１の姿勢）とオープン状態（第２の姿勢）とを容易に切り替えることができる。更に、第１の姿勢では、揺動部４１の上端が径方向の外側に突出した状態となるため、ユーザーが直観的にロック状態であることを認識することができる。
【００３８】
また、第１の姿勢において、揺動部４１の上端は、吐出ヘッド３０の外筒部３４の下端部に形成された第１受け部３４ａと係合し、揺動部４１の下端は、キャップ１０のガイド筒部１４の外壁に形成された第２受け部１７と係合する。この第１の姿勢において、揺動部４１は、第１受け部３４ａと第２受け部１７とにより挟み込まれ、姿勢が維持される。更に、揺動部４１の上端は、第１受け部３４ａにおける段差部により、径方向外側への移動が規制されている。また、上述したように、揺動部４１の下端は突起部により構成されており、第２受け部１７は、揺動部４１の下端を構成する突起部と嵌合する窪み部で構成されている。そのため、筒部材４０の第１の姿勢では、突起部と窪み部とが嵌合した状態となるため、連結部４２の復元力等によって、意図せずに、筒部材４０が第１の姿勢から第２の姿勢へと変形してしまうことを一層抑制することができる。更に、ユーザーは、突起部を窪み部に嵌合させる際に、セット感（クリック感）を感じることができるため、第１の姿勢への変形が完了したことを確実にユーザーに認識させることができ、ユーザーによる誤操作を抑制することができる。
【００３９】
更に、図２（ｂ）に示すように、本実施形態では、筒部材４０とガイド筒部１４との間に、筒部材４０がガイド筒部１４の周方向に移動しないように嵌合する凹凸部が設けられている。具体的に、本実施形態の凹凸部は、筒部材４０の内壁に形成された縦リブ４３と、ガイド筒部１４の外壁に形成された、縦リブ４３と嵌合する縦溝１８と、で構成されている。このような構成とすることにより、ガイド筒部１４の周方向における凹部１６の位置と、筒部材４０の周方向における揺動部４１の位置とを合わせた状態で両者を位置決めすることができ、揺動部４１を揺動可能な状態に維持することができる。
【００４０】
次に、本発明に係るポンプ式注出器としての別の実施形態について説明する。図３は、本発明に係るポンプ式注出器の１つの実施形態としてのフォーマーポンプ５１について、第２の姿勢の状態であるストッパー部材の近傍のみを断面で示した側面図である。図４（ａ）は、図３において断面で示した部分を拡大した拡大図であり、図４（ｂ）は図４（ａ）のＩＩ−ＩＩ断面図である。図５（ａ）は、図４（ａ）において示した第２の姿勢の状態であるストッパー部材を第１の姿勢へと変形させた状態を示す図であり、図５（ｂ）は図５（ａ）のＩＩＩ−ＩＩＩ断面図である。なお、図５（ｂ）における二点鎖線は、理解を容易にするため、第１の姿勢における揺動部４１全体の上面図の外側輪郭を表したものである。
【００４１】
本実施形態のフォーマーポンプ５１は、上述したフォーマーポンプ１と比較して、ストッパー部材を第１の姿勢と第２の姿勢との間で変形させる機構が異なっており、その他の構成は共通している。より具体的に、本実施形態のフォーマーポンプ５１は、上述したフォーマーポンプ１と比較して、キャップのガイド筒部の構成、及びストッパー部材としての筒部材の構成が異なっている。ここでは相違する点について主に説明し、共通する点については説明を省略する。
【００４２】
本実施形態のストッパー部材としての筒部材６０は、キャップ１０のガイド筒部７０の周方向に移動可能に装着されている。また、図４（ｂ）、図５（ｂ）に示すように、ガイド筒部７０の外壁には、ガイド筒部７０の周方向に進むにつれて、ガイド筒部７０の中心からの半径が漸増又は漸減する半径変動部８０が設けられている。
【００４３】
筒部材６０には、上述した筒部材４０と同様の揺動部４１が形成されており、本実施形態では、筒部材６０をガイド筒部７０の周方向に移動し、半径変動部８０に対する揺動部４１の位置を移動させて、揺動部４１の揺動状態を変化させることにより、筒部材６０を第１の姿勢と第２の姿勢との間で変形させることができる。
【００４４】
具体的には、図４及び図５に示すように、ガイド筒部７０の外壁には、揺動部４１の上端が径方向外側に突出すると共に、揺動部４１の下端が径方向内側に突出した状態（筒部材６０が第１の姿勢）で、揺動部４１の姿勢を保持する第１保持部７１と、ガイド筒部７０の周方向において第１保持部７１とは異なる位置に形成され、揺動部４１の上端及び下端が共に径方向内側及び外側に突出しない状態（筒部材６０が第２の姿勢）で、揺動部４１の姿勢を保持する第２保持部７２と、周方向において第１保持部７１と第２保持部７２とを繋ぐ中間部７３と、周方向において、中間部７３とは反対側の位置で第１保持部及び第２保持部７２の少なくとも一方と連続すると共に、頂部の位置での最大半径が第１保持部７１及び第２保持部７２における最大半径と等しい又はそれよりも大きくなるように径方向外側に突出し、筒部材６０をガイド筒部７０の周囲に回転させる際に筒部材６０の内壁と摺動する突出部７４と、が形成されている。なお、本実施形態では、図４（ｂ）、図５（ｂ）に示すように、周方向において、中間部７３とは反対側の位置で第１保持部と連続する突出部と、中間部７３とは反対側の位置で第２保持部７２と連続する突出部との２つ突出部７４が形成されている。
【００４５】
図４（ａ）に示すガイド筒部７０の外壁は、第２保持部７２を示すものである。図４（ａ）に示すように、第２保持部７２は、筒部材６０の連結部４２よりも上側に位置する部分が、筒部材６０の連結部４２よりも下側に位置する部分よりも、径方向外側に突出していない。従って、ガイド筒部７０の周方向において揺動部４１と第２保持部７２とが同じ位置にある状態では、第２保持部７２が、揺動部４１の上端を径方向外側及び揺動部４１の下端を径方向内側に揺動させるような押圧力を付与しないため、筒部材６０は第２の姿勢となる。
【００４６】
これに対して、図５（ａ）に示すガイド筒部７０の外壁は、第１保持部７１を示すものである。図５（ａ）に示すように、第１保持部７１は、筒部材６０の連結部４２よりも上側に位置する部分が、筒部材６０の連結部４２よりも下側に位置する部分よりも、径方向外側に突出している。そのため、ガイド筒部７０の周方向において揺動部４１と第１保持部７１とが同じ位置にある状態では、第１保持部７１が、揺動部４１の上端を径方向外側及び揺動部４１の下端を径方向内側に揺動させるような押圧力を付与することになるため、第１保持部７１の形状に沿って揺動部４１は揺動し、筒部材６０は第１の姿勢となる。なお、筒部材６０が第１の姿勢の状態では、揺動部４１の上端が外筒部３４の下端に形成された第１受け部３４ａと係合し、揺動部４１の下端がガイド筒部７０の外壁の第１保持部７１に形成された第２受け部７５と係合する。なお、上述したフォーマーポンプ１と同様に、揺動部４１の下端を突起部で構成すると共に、第２受け部７５をこの突起部と嵌合する窪み部で構成し、突起部と窪み部とを嵌合させることにより、揺動部４１の下端と第２受け部７５とを係合するようにしてもよい。
【００４７】
このように、筒部材６０をガイド筒部７０に対して周方向に移動（回転）し、揺動部４１に対する第１保持部７１及び第２保持部７２の位置を変動させ、揺動部４１の周方向位置をガイド筒部７０の外壁に形成された第１保持部７１又は第２保持部７２の位置に合わせることにより、筒部材６０を、第１の姿勢と第２の姿勢との間で変形させることができる。なお、筒部材６０のガイド筒部７０に対する回転は、通常、筒部材６０をガイド筒部７０に対して回転させるが、第１の姿勢と第２の姿勢との間の変形は一方を他方に対して相対的に回転させればよく、ガイド筒部７０を筒部材６０に対して回転させるような動作であってもよい。
【００４８】
また、本実施形態の中間部７３は、図４（ｂ）、図５（ｂ）に示すような、第１保持部７１、第２保持部７２及び中間部７３を含む断面（連結部４２の位置を除く、連結部４２よりも上側及び下側の位置での断面）において、周方向に進むにつれてガイド筒部７０の中心からの半径が漸増又は漸減する半径変動部８０で構成されている。具体的には、連結部４２よりも下側の位置での断面では、周方向において第１保持部７１から第２保持部７２に向かって半径は漸増し、第２保持部７２から第１保持部７１に向かって半径は漸減する。また、連結部４２よりも上側の位置での断面では、周方向において第１保持部７１から第２保持部７２に向かって半径は漸減し、第２保持部７２から第１保持部７１に向かって半径は漸増する。
【００４９】
このように、周方向に進むにつれて半径が漸増又は漸減する半径変動部８０を設け、筒部材６０の揺動部４１を半径変動部８０に沿ってガイド筒部７０の周方向に移動させて、ガイド筒部７０の周方向における揺動部４１の位置を、第１保持部７１の位置と第２保持部７２の位置との間で変動させるようにすれば、筒部材６０の第１の姿勢と第２の姿勢との間の変形操作を、筒部材６０の回転動作のみでスムーズに行うような構成とすることができる。
【００５０】
なお、本実施形態では、第１保持部７１及び第２保持部７２においても、第１保持部７１、第２保持部７２及び中間部７３を含む断面（連結部４２の位置を除く、連結部４２よりも上側及び下側の位置での断面）において、中間部７３から連続して、周方向に進むにつれてガイド筒部の中心からの半径が漸増又は漸減する構成とされているが、この構成に限られるものではなく、例えば、第１保持部及び第２保持部それぞれにおいては、周方向の位置に限らず半径が等しい構成としてもよく、筒部材の揺動部の形状や大きさ等に応じて適宜変更することができる。
【００５１】
また、突出部７４は、その頂部が上下方向（中心軸方向）及び周方向の位置によらず一定の半径を有する曲面により構成されており、この頂部を構成する曲面が、筒部材６０をガイド筒部７０の周囲に回転させる際に、筒部材６０の内壁と摺動して、筒部材６０のガイド筒部７０に対する回転軌跡を一定に保持する。そのため、筒部材６０を回転させる際の第１保持部７１、第２保持部７２及び中間部７３それぞれの揺動部４１との係合関係は、突出部７４により一定化される。
【００５２】
また、図４、図５に示すように、本実施形態では、第１保持部７１及び第２保持部７２における最大半径は、突出部７４の曲面の半径と等しい（図４（ａ）、図５（ａ）参照）。更に、筒部材６０の内壁のうち揺動部４１の内壁は、筒部材６０の内壁のその他の部分よりも径方向内側に位置している。換言すれば、筒部材６０の内壁は、揺動部４１の位置で径方向内側に突出している。したがって、筒部材６０を第１の姿勢と第２の姿勢との間で変形させるために筒部材６０を回転させる際に、揺動部４１の周方向側面は、突出部７４の側面（第２保持部７２の周方向端部から径方向に起立している面）に突き当たり、変形が完了する。このような構成とすることにより、ユーザーが筒部材６０をガイド部材７０に対して過剰に回転させることが抑制されると共に、第１の姿勢と第２の姿勢との間での変形の完了をユーザーが容易に認識することができる。
【００５３】
なお、本実施形態のフォーマーポンプ１は、一方向に回転させて第１の姿勢から第２の姿勢に変形させ、逆方向に回転させて第２の姿勢から第１の姿勢にさせる構成であるが、この構成に限られるものではなく、筒部材を常に一方向に回転させる動作のみで第１の姿勢と第２の姿勢とを切り替え可能なように、筒部材及びガイド筒部を構成することもできる。
【００５４】
本発明に係るポンプ式注出器は、上述した実施形態で特定された構成に限られるものではなく、特許請求の範囲に記載された発明の要旨を逸脱しない範囲内で種々の変形が可能である。例えば、上述した実施形態では、ポンプ式注出器としてフォーマーポンプを示しているが、吐出ヘッドの押し込み及び復元の繰り返しによりポンプを駆動させるポンプ式注出器であればよく、例えば、容器内の液体の内容物を汲み上げて発泡させることなくそのまま吐出するようなポンプ式注出器であってもよい。また、上述した実施形態では、ストッパー部材としての筒部材４０、６０に対して揺動部４１を一体で成形しているが、別体の揺動部を筒部材に装着する構成としてもよい。更に、上述した実施形態における揺動部４１は、上下方向の上端部及び下端部が、筒部材４０、６０の径方向に揺動する構成であるが、これに限られるものではなく、例えば、揺動部のうち筒部材の周方向における両端部が筒部材の周方向における中央部に対して筒部材の径方向に揺動する構成や、揺動部のうち筒部材の周方向における一端部が、他端部に対して筒部材の径方向に揺動する構成としてもよい。
【産業上の利用可能性】
【００５５】
本発明は、ポンプ式注出器に関し、特に、吐出ヘッドの押し込み動作を規制可能なストッパー部材を備えるポンプ式注出器に関する。
【符号の説明】
【００５６】
１、５１：フォーマーポンプ
１０：キャップ
１１：開口
１２：天板部
１３：キャップ本体
１４、７０：ガイド筒部
１５：係止筒
１６：凹部
１７、７５：第２受け部
１８：縦溝
１９：ガイドリブ
２０：ポンプ
２１：空気用シリンダ
２１ａ：周壁部
２１ｂ：フランジ部
２１ｃ：外側係合筒
２２：液用シリンダ
２２ａ：周壁部
２２ｂ：縮径部
２２ｃ：小径周壁部
２３：ステム
２３ａ：筒状本体
２３ｂ：弁座
２３ｃ：玉状弁体
２４：空気用ピストン
２４ａ：筒状弁部
２４ｂ：天板部
２４ｃ：摺動部
２５：パイプ
２６：起泡部材
２６ａ：メッシュ
２６ｂ：メッシュ保持部材
２７：筒状部材
３０：吐出ヘッド
３１：操作部
３２：ノズル
３３：天板部
３４：外筒部
３４ａ：第１受け部
３５：内筒部
３６：吐出口
３７：防水リング
４０、６０：筒部材（ストッパー部材）
４１：揺動部
４２：連結部
４３：縦リブ
７１：第１保持部
７２：第２保持部
７３：中間部
７４：突出部
８０：半径変動部
１００：容器
１０１：口部
２３０ｂ：フランジ部
２３１ｂ：筒部
【図１】
0006355469.tif 000002
【図２】
0006355469.tif 000003
【図３】
0006355469.tif 000004
【図４】
0006355469.tif 000005
【図５】
0006355469.tif 000006